(57)【要約】【課題】 プロセス蒸気の圧力値を、低圧から高圧へ変換するのみならず、高圧から低圧へも変換することができるプロセス蒸気の制御装置を得ること。【解決手段】  中圧プロセス蒸気供給管２に切換弁５，６を取り付けて、分岐管７を接続する。分岐管７に熱交換器１８を介して蒸気圧縮及び膨張機４のスクリュー式ロータ部８と接続する。スクリュー式ロータ部８の下部を、接続管１７によって低圧プロセス蒸気供給管３と接続する。  切換弁５，６，１５，１６を操作して、中圧プロセス蒸気供給管２からスクリュー式ロータ部８に中圧蒸気を供給することによって、中圧蒸気は膨張して減圧され、反対に、低圧プロセス蒸気供給管３からスクリュー式ロータ部８に低圧蒸気を供給することによって、低圧蒸気は圧縮されて昇圧する。【選択図】 図１
2008019812.tif 000002
【特許請求の範囲】
【請求項１】
蒸気使用箇所へ圧力値の異なった蒸気を供給するプロセス蒸気供給管を設けたものにおいて、プロセス蒸気供給管に蒸気圧縮及び膨張機を配置して、当該蒸気圧縮及び膨張機の圧縮と膨張を切り換える切換弁を取り付けると共に、蒸気圧縮及び膨張機の蒸気入口側又は出口側に熱交換器を取り付けたことを特徴とするプロセス蒸気の制御装置。
【発明の詳細な説明】
【技術分野】
【０００１】
本発明は、蒸気供給管を介して蒸気使用箇所へ圧力値の異なった蒸気を供給するプロセス蒸気の制御装置に関する。ここで、プロセス蒸気とは、蒸気使用箇所へ供給する蒸気を示す。
【背景技術】
【０００２】
従来のプロセス蒸気の制御装置は、複数の異なる値の圧力、温度の蒸気を、蒸気タービンからプロセス蒸気として供給する間に、プロセスへの蒸気供給による有効エネルギー損失を低減して、蒸気プラントの動力効率の向上を図ることができるものである。
【０００３】
上記従来のプロセス蒸気の制御装置は、背圧タービンから排気された低圧蒸気を、モータにより駆動される蒸気圧縮機によって、高圧プロセス蒸気として供給することはできるが、反対に、高圧蒸気を低圧蒸気に減圧して低圧プロセス蒸気として供給することができない問題があった。
【特許文献１】特開平５−６５８０８号公報
【発明の開示】
【発明が解決しようとする課題】
【０００４】
解決しようとする課題は、プロセス蒸気の圧力値を、低圧から高圧へ変換するのみならず、高圧から低圧へも変換することができるようにすることである。
【課題を解決するための手段】
【０００５】
本発明は、蒸気使用箇所へ圧力値の異なった蒸気を供給するプロセス蒸気供給管を設けたものにおいて、プロセス蒸気供給管に蒸気圧縮及び膨張機を配置して、当該蒸気圧縮及び膨張機の圧縮と膨張を切り換える切換弁を取り付けると共に、蒸気圧縮及び膨張機の蒸気入口側又は出口側に熱交換器を取り付けたものである。
【発明の効果】
【０００６】
本発明は、プロセス蒸気供給管に蒸気圧縮及び膨張機を配置したことによって、低圧蒸気を圧縮することにより高圧蒸気に変換することができ、また、高圧蒸気を膨張させることにより低圧蒸気に変換することができる。
【発明を実施するための最良の形態】
【０００７】
本発明のプロセス蒸気の制御装置は、プロセス蒸気供給管に蒸気圧縮及び膨張機を配置したものであるが、この蒸気圧縮及び膨張機としては、冷凍や空調やガスコンプレッサとして従来から幅広く使用されてきたスクリュー式コンプレッサを蒸気圧縮機として用い、一方、蒸気膨張機としては、スクリュー式コンプレッサの逆サイクルを利用することによって、すなわち、スクリュー式コンプレッサの蒸気の入口と出口を逆にして、出口側から高圧蒸気を注入し、入口側から膨張して圧力の低下した低圧蒸気を流下させることによって蒸気膨張機として用いることができる。更に、従来周知の蒸気コンプレッサを蒸気圧縮機として用い、その逆サイクルを蒸気膨張機として用いることもできる。
【実施例１】
【０００８】
図１において、高圧プロセス蒸気供給管１と、中圧プロセス蒸気供給管２と、低圧プロセス蒸気供給管３と、蒸気圧縮及び膨張機４、及び、熱交換器１８とで本発明のプロセス蒸気の制御装置を構成する。
【０００９】
それぞれのプロセス蒸気供給管１，２，３は、図面左側の図示しない蒸気源から、図面右側の同じく図示しない蒸気使用箇所へ、プロセス蒸気を供給するものである。
【００１０】
中圧プロセス蒸気供給管２に切換弁５，６を介して分岐管７を接続する。分岐管７に熱交換器１８を介して蒸気圧縮及び膨張機４を接続する。本実施例においては、スクリュー式蒸気圧縮及び膨張機４を用いた例を示す。スクリュー式蒸気圧縮及び膨張機４は、左右一対のオス・メスのスクリュー式ロータ部８、及び、発電機又は電動モータ部９とで構成する。
【００１１】
熱交換器１８の内部に分岐管７をコイル状に配置して、下端を下部分岐１０としてスクリュー式ロータ部８の蒸気入口と接続する。熱交換器１８の右側面上部に、高圧プロセス蒸気供給管１を分岐した高圧分岐管１１を接続する。熱交換器１８の左側下部に管路を介して気液分離器１２を接続する。気液分離器１２の出口側には出口管１３を取り付けて、低圧プロセス蒸気供給管３と接続する。
【００１２】
分岐管７と下部分岐管１０を通ってスクリュー式ロータ部８に供給される蒸気は、熱交換器１８で高圧プロセス蒸気供給管１からの高圧高温蒸気によって加熱され、過熱蒸気となってスクリュー式ロータ部８に供給されることにより、後述するように、膨張して減圧される場合に蒸気が凝縮しにくくなって、復水の発生を防止することができる。
【００１３】
熱交換器１８で熱を奪われた高圧プロセス蒸気は、一部が凝縮して復水となり、復水と蒸気の混合流体となって気液分離器１２内へ流下する。気液分離器１２で復水の分離された蒸気だけが出口管１３から低圧プロセス蒸気供給管３内へ流下する。一方、気液分離器１２で蒸気から分離された復水は、蒸気トラップ１４から系外へ排除される。
【００１４】
プロセス蒸気の圧力値を中圧から低圧へと減圧する場合は、中圧プロセス蒸気供給管２の切換弁５を開弁し切換弁６を閉弁すると共に、低圧プロセス蒸気供給管３の切換弁１５を閉弁し切換弁１６を開弁して、中圧蒸気をスクリュー式ロータ部８に供給する。中圧蒸気がスクリュー式ロータ部８を回転させながら膨張し、減圧されて低圧プロセス蒸気供給管３へ供給される。また、スクリュー式ロータ部８の回転駆動力は、連結された発電機９を回転させて所定の電力を発生する。
【００１５】
プロセス蒸気の圧力値を低圧から中圧へと昇圧する場合は、低圧プロセス蒸気供給管３の切換弁１５を開弁し切換弁１６を閉弁すると共に、中圧プロセス蒸気供給管２の切換弁５を閉弁し切換弁６を開弁して、低圧蒸気をスクリュー式ロータ部８の下部から、すなわち、上述の減圧膨張する場合とは逆方向からスクリュー式ロータ部８に供給する。スクリュー式ロータ部８が電動モータ部９によって回転駆動され、低圧蒸気は圧縮されて所定圧まで昇圧し、中圧プロセス蒸気供給管２へ供給される。
【００１６】
このように、プロセス蒸気の圧力値を、中圧から低圧へと減圧したり、あるいは、低圧から中圧へと昇圧することができ、中圧や低圧のプロセス蒸気の消費量に過不足が生じた場合に、その過不足に応じて蒸気圧縮及び膨張機４を切り換えることによって、過不足をバランスさせることができる。
【図面の簡単な説明】
【００１７】
【図１】本発明のプロセス蒸気の制御装置の構成図。
【符号の説明】
【００１８】
１  高圧プロセス蒸気供給管
２  中圧プロセス蒸気供給管
３  低圧プロセス蒸気供給管
４  蒸気圧縮及び膨張機
５，６  切換弁
８  スクリュー式ロータ部
９  発電機又は電動モータ部
１２  気液分離器
１４  蒸気トラップ
１５，１６  切換弁
１８  熱交換器
【図１】
2008019812.tif 000003